(57)【要約】【課題】保守性の良好な定着装置を提供する。【解決手段】筒状で内部に加熱用のヒータランプ１６を着脱可能に設けた加熱ローラ１１と加圧ローラ１２を備え、その加熱ローラ１１の端部付近の内部に、ヒータランプ１６からの輻射熱が端部から放出されることを防ぐためにアブソーバー１４を設け、アブソーバー１４にはヒータランプ１６を挿入するための穴１４ａが開けられ、その穴１４ａ付近はヒータランプ１６を挿入方向に沿ってテーパー状に傾斜していることを特徴とする。【選択図】  図４
2010139816.tif 000002
【特許請求の範囲】
【請求項１】
筒状で内部に加熱用のヒータランプを着脱可能に設けた加熱ローラと加圧ローラを備え、その加熱ローラと加圧ローラを一定荷重で押し付けているローラ間にトナーを載せた用紙を通して加熱定着する定着装置において、
前記加熱ローラの端部付近の内部に、前記ヒータランプからの輻射熱が端部から放出されることを防ぐためにアブソーバーを設け、
前記アブソーバーには前記ヒータランプを挿入するための穴が開けられ、その穴付近はヒータランプを挿入方向に沿ってテーパー状に傾斜していることを特徴とする定着装置。
【発明の詳細な説明】
【技術分野】
【０００１】
本発明は、電子写真技術を利用した複写機やプリンタなどの画像形成装置に係り、特にヒータランプを加熱源にして、円筒形の加熱ローラを加熱することにより未定着画像を加熱定着する定着装置に関するものである。
【背景技術】
【０００２】
電子写真装置では、未定着画像を加熱定着するための定着装置からの熱によって装置本体内の温度上昇を防ぐため、定着装置では、その冷却流によって、定着装置の加熱ローラ表面温度分布が変化するため、加熱ローラ軸方向の温度分布を一定に保つ必要がある。一般に、定着装置では加熱ローラの熱源として、低価格の点からヒータランプを用いるのが主流であり、加熱ローラの軸方向に対して、１本又は複数本のヒータランプを設けて発熱量を制御している。
【０００３】
また、加熱ローラ端部の開口部に前記ヒータランプからの輻射熱が両端部から放出されることを防ぐアブソーバーを設けることで、前記ヒータランプからの熱が加熱ローラ開口部から放散することを防止し、端部でのヒータランプの発熱量が少なくても加熱ローラ端部での温度低下が防止できる方法が提案されている。また、加熱ローラ端部の温度低下を防止する別の方法としては、加熱ローラと用紙が接触する部分のみ発熱するヒータランプの他に、加熱ローラ端部のみを発熱するヒータランプを設けることで、加熱ローラ端部の温度を一定に保つ方式が実用化されている。
【０００４】
【特許文献１】特開昭６２−１１５６８４号公報
【特許文献２】特許第３９００４０３号公報
【発明の開示】
【発明が解決しようとする課題】
【０００５】
上述のように中央に穴を空けた円板状のアブソーバーを加熱ローラ内の両端部近傍に設置して、ヒータランプからの輻射熱が加熱ローラの両端部から放出されることを防ぐ構造においては、放熱防止の点からアブソーバーの穴径は必要最小限に設計されており、また、ヒータランプは保守のため交換する必要がある。
【０００６】
ところで構造上、前記アブソーバーは加熱ローラ内部の隠れた場所に設置されているため、ヒータランプの交換時には感覚で穴を探す必要があり、ヒータランプが不用意に他の部材に衝突して破損する虞がある。
【０００７】
このヒータランプを通す際の破損を防ぐため、ヒータランプ交換用の筒状ガイド内にヒータランプを挿入した状態で前記ヒータランプとともに前記加熱ローラの内部に装填する際、加熱ローラ内の１つ目のアブソーバーを通過し、次に２つ目のアブソーバーを通過して装填させる。そしてヒータランプを装填後、前記筒状ガイドを抜き出していた。
【０００８】
ところが、前記筒状ガイドをヒータランプに被せてヒータランプとともに加熱ローラ内部に挿入する過程において、アブソーバーの穴の周囲に筒状ガイドの先端部が当たり、挿入が難しいという問題がある。
【０００９】
本発明は、上記問題点を解消するためになされたものであり、保守性の良好な定着装置を提供することを目的とする。
【課題を解決するための手段】
【００１０】
上記目的を達成するために、本発明は、筒状で内部に加熱用のヒータランプを着脱可能に設けた加熱ローラと加圧ローラを備え、その加熱ローラと加圧ローラを一定荷重で押し付けているローラ間にトナーを載せた用紙を通して加熱定着する定着装置において、前記加熱ローラの端部付近の内部に、前記ヒータランプからの輻射熱が端部から放出されることを防ぐためにアブソーバーを設け、前記アブソーバーには前記ヒータランプを挿入するための穴が開けられ、その穴付近はヒータランプを挿入方向に沿ってテーパー状に傾斜していることを特徴とするものである。
【発明の効果】
【００１１】
本発明は前述のような構成になっており、簡単な構成で、ヒータランプの交換がスムーズに行える保守性の良好な定着装置を提供することができる。
【発明を実施するための最良の形態】
【００１２】
先ず、本発明に係わる電子写真装置の概要について図５を用いて説明する。
【００１３】
図５において、電子写真方式を用いた画像形成装置Ｐでは、帯電器１によって感光体２の表面を一様に帯電する。帯電後の感光体２表面に露光器３からのレーザ等の光が照射され感光体２上に静電潜像を形成する。形成された静電潜像に現像機４内部で帯電したトナーが電気力線に沿って感光体２表面に付着する。これにより可視化象が感光体２表面に形成される。次に転写器５により用紙６へトナーが電気的に吸着し転写される。感光体２表面に残ったトナーを清掃する清掃機７が配置されている。
【００１４】
転写器５で転写されたトナー像が載った用紙６は定着機８に搬送される。定着機８内部で裏面より用紙６を温める予熱板９により予熱され、次に内部にヒータ１０が配置され、前記ヒータ１０の発熱により熱せられた表面が離型性の高い材料で覆われた加熱ローラ１１と加圧ローラ１２により挟持搬送されることで用紙６上のトナーは用紙６へ定着される。トナーが定着した用紙６はプラー１２により用紙折りたたみ部１３へ搬送され畳まれる。
【００１５】
次に、本発明の電子写真装置における定着機について、図１および図２を用いて説明する。図１は加熱ローラとアブソーバーの断面図及び斜視図、図２は加熱ローラの軸方向の断面図、図３はヒータランプの概略構成図である。
【００１６】
図３に示すように、ヒータランプ１６は数本のヒータ１０を内蔵している。そしてこのヒータランプ１６が加熱ローラ１１の中に軸方向に沿って複数本配置されて、前記ヒータランプ１６により加熱ローラ１１の発熱量が制御される。加熱ローラ１１の両端開口部には、ヒータランプ１６からの輻射熱が両端部から放出されることを防ぐために金属製のアブソーバー１４が２個配置されている。
【００１７】
アブソーバー１４にはヒータランプ１６を挿入するための１４ａが開けられており、穴径はヒータランプ１６を通すために必要な最小限の穴とし、ヒータランプ１６の輻射熱がアブソーバー１４の外側へ逃げるのを最小限にとどめるように構成されている。アブソーバー１４の中央の穴１４ａはテーパー状に形成されており、図１（ａ）に示すようにこのアブソーバー１４は加熱ローラ１１の両端開口部に設けられているが、両方のアブソーバー１４の傾斜方向は同じ方向になっている。
【００１８】
次に、ヒータランプ１６の交換操作について図４を用いて説明する。ヒータランプ１６を交換する場合には、加熱ローラ１１内のアブソーバー１４の穴１４ａに通せる径のヒータランプ交換用筒状ガイド１５が準備される。この筒状ガイド１５は加熱ローラ１１の長さよりも十分長く設計されており、ヒータランプ１６に付設されているリード線なども筒状ガイド１５内に収容される。この筒状ガイド１５内に交換する新品のヒータランプ１６に挿入する。この状態が、図４の上段に示されている。
【００１９】
ヒータランプ１６を収容した筒状ガイド１５を加熱ローラ１１の内部に挿入する際、加熱ローラ１１内の１つ目（図面では右側）のアブソーバー１４から筒状ガイド１５を挿入し、引き続き筒状ガイド１５の挿入を続けると筒状ガイド１５の先端部は２つ目（図面では左側）のアブソーバー１４を通過する。この状態が図４の中段に示されており、この段階でヒータランプ１６の装填が終了する。
【００２０】
しかる後、ヒータランプ１６を残して、筒状ガイド１５を加熱ローラ１１から抜き出す。この状態が、図４の下段に示されている。
【００２１】
この一連の作業において、アブソーバー１４にはヒータランプ１６が挿入、案内される方向に沿ってテーパー状の穴１４ａが設けられているから、筒状ガイド１５（ヒータランプ１６）の挿入と筒状ガイド１５の抜き出しがスムーズである。このためアブソーバー１４の穴１４ａの周囲に筒状ガイド１５の先端部が当たり挿入に支障をきたすことがなく、ヒータランプ１６を容易に交換することができる。
【図面の簡単な説明】
【００２２】
【図１】本発明の実施例に係る加熱ローラとアブソーバーの断面図及び斜視図である。
【図２】本発明の実施例に係る加熱ローラの軸方向の断面図である。
【図３】本発明の実施例に係るヒータランプの断面図である。
【図４】本発明の実施例に係るヒータランプの交換操作を説明するための図である。
【図５】本発明の実施例に係る定着装置を用いた電子写真装置の概略構成図である。
【符号の説明】
【００２３】
Ｐは印写装置、１は帯電器、２は感光体、３は露光器、４は現像機、５は転写機、６は用紙、７は清掃機、８は定着機、９は予熱板、１０はヒータ、１１は加熱ローラ、１２は加圧ローラ、１３は用紙折りたたみ部、１４はアブソーバー、１４ａは穴、１５はヒータランプ交換用筒状ガイド、１６はヒータランプである。
【図１】
2010139816.tif 000003
【図２】
2010139816.tif 000004
【図３】
2010139816.tif 000005
【図４】
2010139816.tif 000006
【図５】
2010139816.tif 000007